Podtech/llm-jp-corpus-v4-ja_patent huggingface dataset:
【手続補正書】
【提出日】平成23年12月9日(2011.12.9)
【手続補正１】
【補正対象書類名】特許請求の範囲
【補正対象項目名】全文
【補正方法】変更
【補正の内容】
【特許請求の範囲】
【請求項１】
複数の入力／出力（ＩＯ）要求を生成するように構成されたホストと、
（ｉ）ソリッドステートデバイスと（ｉｉ）複数のハード・ディスク・ドライブ（ＨＤＤ）とを含むドライブアレイであって、前記ソリッドステートデバイスが（ａ）書き込みキャッシュ領域と（ｂ）読み出しキャッシュ領域とを含み、（Ａ）前記ドライブアレイが前記複数のＩＯ要求に応じてデータを格納及び／又は検索し、（Ｂ）前記読み出しキャッシュ領域が前記書き込みキャッシュ領域の一部のデータミラーであり、（Ｃ）前記読み出しキャッシュ領域と前記書き込みキャッシュ領域との間の前記データミラーは、前記読み出しキャッシュ領域にアクセスするときに待ち時間オーバーヘッドを避けるべく、前記データが前記書き込みキャッシュ領域に書き込まれた後に同時に同期されるドライブアレイと、
（ｉ）前記複数のＩＯ要求を受信し、（ｉｉ）前記複数のＩＯ要求を処理し、（ｉｉｉ）前記複数のＩＯ要求を前記書き込みキャッシュ領域と前記読み出しキャッシュ領域とにマップするように構成された抽象化レイヤと、
を含むシステム。
【請求項２】
ＩＯ書き込み要求は、前記書き込みキャッシュ領域と前記読み出しキャッシュ領域とに同期的に書き込まれる請求項１に記載のシステム。
【請求項３】
ＩＯ読み出し要求は、前記読み出しキャッシュ領域で処理される請求項１に記載のシステム。
【請求項４】
前記抽象化レイヤは、コントローラ上で実行される請求項１に記載のシステム。
【請求項５】
前記ソリッドステートデバイスは、ストレージアレイ上で実現される請求項１に記載のシステム。
【請求項６】
前記読み出しキャッシュ領域は、前記書き込みキャッシュ領域とは別の場所にマップされる請求項１に記載のシステム。
【請求項７】
前記抽象化レイヤは、ＩＯ書き込み要求が終了したときに信号を前記ホストに返信する請求項１に記載のシステム。
【請求項８】
前記書き込みキャッシュ領域と前記読み出しキャッシュ領域のそれぞれは、ＬＵＮを含む請求項１に記載のシステム。
【請求項９】
ＩＯ書き込み要求は、前記書き込みキャッシュ領域と前記読み出しキャッシュ領域とに非同期的に書き込まれる請求項１に記載のシステム。
【請求項１０】
（Ａ）複数の入力／出力（ＩＯ）要求を生成するステップと、
（Ｂ）前記複数のＩＯ要求を受信するステップと、
（Ｃ）ドライブアレイからデータを格納及び／又は検索することによって、前記複数のＩＯ要求を処理するステップと、
（Ｄ）前記複数のＩＯ要求を書き込みキャッシュ領域と読み出しキャッシュ領域とにマップするステップと、
（Ｅ）データミラーを形成すべく、前記読み出しキャッシュ領域の一部を前記書き込みキャッシュ領域にミラーリングし、前記読み出しキャッシュ領域と前記書き込みキャッシュ領域との間の前記データミラーは、前記読み出しキャッシュ領域にアクセスするときに待ち時間オーバーヘッドを避けるべく、前記データが前記書き込みキャッシュ領域に書き込まれた後に同時に同期されるステップと、
を含む方法。
【請求項１１】
前記ステップ（Ｄ）は、ＩＯ書き込み要求を前記書き込みキャッシュ領域と前記読み出しキャッシュ領域とに同期的に書き込むサブステップを更に含む請求項１０に記載の方法。
【請求項１２】
前記ステップ（Ｃ）は、ＩＯ読み出し要求を前記読み出しキャッシュ領域で処理するサブステップを更に含む請求項１０に記載の方法。
【請求項１３】
ＩＯ書き込み要求が終了した後に信号をホストに返信するステップを更に含む請求項１０に記載の方法。
【請求項１４】
前記読み出しキャッシュ領域と前記書き込みキャッシュ領域のそれぞれは、ＬＵＮを含む請求項１０に記載の方法。
【請求項１５】
前記ステップ（Ｄ）は、ＩＯ書き込み要求を前記書き込みキャッシュ領域と前記読み出しキャッシュ領域とに非同期的に書き込むサブステップを更に含む請求項１０に記載の方法。
【請求項１６】
前記読み出しキャッシュ領域は、フラッシュドライブを含む請求項１０に記載の方法。
【請求項１７】
前記読み出しキャッシュ領域は、前記書き込みキャッシュ領域とは別の場所にマップされる請求項１０に記載の方法。
【請求項１８】
複数の入力／出力（ＩＯ）要求を生成するように構成されたホストと、
（ｉ）ソリッドステートデバイスと（ｉｉ）複数のハード・ディスク・ドライブ（ＨＤＤ）とを含むドライブアレイであって、前記ソリッドステートデバイスが書き込みキャッシュ領域を含み、前記ドライブアレイが前記複数のＩＯ要求に応じてデータを格納及び／又は検索するドライブアレイと、
読み出しキャッシュ領域を含むフラッシュドライブであって、（Ａ）前記読み出しキャッシュ領域が前記書き込みキャッシュ領域の一部のデータミラーであり、（Ｂ）前記読み出しキャッシュ領域と前記書き込みキャッシュ領域との間の前記データミラーは、前記読み出しキャッシュ領域にアクセスするときに待ち時間オーバーヘッドを避けるべく、前記データが前記書き込みキャッシュ領域に書き込まれた後に同時に同期され、（Ｃ）前記フラッシュドライブが前記ソリッドステートデバイスから分離しているフラッシュドライブと、
（ｉ）前記複数のＩＯ要求を受信し、（ｉｉ）前記複数のＩＯ要求を処理し、（ｉｉｉ）前記複数のＩＯ要求を前記書き込みキャッシュ領域と前記読み出しキャッシュ領域とにマップするように構成された抽象化レイヤと、
を含むシステム。
【請求項１９】
ＩＯ書き込み要求は、前記書き込みキャッシュ領域と前記読み出しキャッシュ領域とに同期的に書き込まれる請求項１８に記載のシステム。
【請求項２０】
ＩＯ書き込み要求は、前記書き込みキャッシュ領域と前記読み出しキャッシュ領域とに非同期的に書き込まれる請求項１８に記載のシステム。
【手続補正書】
【提出日】平成24年4月3日(2012.4.3)
【手続補正１】
【補正対象書類名】特許請求の範囲
【補正対象項目名】全文
【補正方法】変更
【補正の内容】
【特許請求の範囲】
【請求項１】
ベース部材と、前記ベース部材にシャフトと当該シャフトを収納するスリーブとが相対回転するように構成した軸受ユニットと、前記軸受ユニットを介して支持されるハブと、を少なくとも含んで構成されるディスク駆動装置の生産方法であって、
前記ディスク駆動装置の構成部品の少なくとも１つは搬送されながら、純水中で少なくとも２種類以上の周波数の超音波を作用させた純水洗浄を行う洗浄工程にて洗浄され、
洗浄された前記構成部品は、前記洗浄工程と連続した所定レベル以上のクリーン領域内の組立工程にて組み立てられることを特徴とするディスク駆動装置の生産方法。
【請求項２】
前記純水洗浄を行う洗浄工程は、洗浄開始側より洗浄終了側の方が超音波の周波数が高いことを特徴とする請求項１記載のディスク駆動装置の生産方法。
【請求項３】
前記純水洗浄が行われる構成部品がベース部材であるとき、
前記純水洗浄を行う洗浄工程は、前記ベース部材はその面積の小さい面の端面を先にして洗浄液に進入させることを特徴とする請求項１または請求項２記載のディスク駆動装置の生産方法。
【請求項４】
前記純水洗浄を行う洗浄工程は、前記ベース部材に巻き込み保持された気泡を解放する水流を形成して実行されることを特徴とする請求項３記載のディスク駆動装置の生産方法。
【請求項５】
前記洗浄工程は、洗浄される構成部品の搬送方向に対して逆方向に流れる洗浄液中を搬送されながら洗浄されることを特徴とする請求項１から請求項４のいずれか１項に記載のディスク駆動装置の生産方法。
【請求項６】
前記純水洗浄を行う洗浄工程では、複数の構成部品が純水中を所定の間隔で連続搬送されながら超音波の作用を受けて洗浄されることを特徴とする請求項１から請求項５のいずれか１項に記載のディスク駆動装置の生産方法。
【請求項７】
前記ディスク駆動装置の構成部品の少なくとも１つは搬送されながら、純水と空気の混合体の吹き付けにより洗浄する吹付洗浄を行う洗浄工程を含むことを特徴とする請求項１から請求項６のいずれか１項に記載のディスク駆動装置の生産方法。
【請求項８】
前記ディスク駆動装置の構成部品の少なくとも１つは搬送されながら、アルカリイオン水中で超音波を作用させたアルカリ洗浄工程を含むことを特徴とする請求項１から請求項７のいずれか１項に記載のディスク駆動装置の生産方法。
【請求項９】
請求項１から請求項８のいずれか１項に記載のディスク駆動装置の生産方法を用いて生産したディスク駆動装置であって、
前記組立工程にて組み立てられたディスク駆動装置は、０．５μｍ以上のパーティクル数が１平方ｃｍ当たり２０００個以下であることを特徴とするディスク駆動装置。
【手続補正書】
【提出日】平成24年3月19日(2012.3.19)
【手続補正１】
【補正対象書類名】特許請求の範囲
【補正対象項目名】全文
【補正方法】変更
【補正の内容】
【特許請求の範囲】
【請求項１】
メモリセルと、
前記メモリセルの消去状態を検証することによって前記メモリセルの閾値電圧を計測する検証回路と、
計測された前記閾値電圧に応じた強度のパルス電圧を最初のパルス電圧とする１又は２以上のパルス電圧を前記メモリセルに印加する電源回路と、を備えることを特徴とするフラッシュメモリ。
【手続補正２】
【補正対象書類名】明細書
【補正対象項目名】発明の名称
【補正方法】変更
【補正の内容】
【発明の名称】フラッシュメモリ
【手続補正３】
【補正対象書類名】明細書
【補正対象項目名】００４９
【補正方法】変更
【補正の内容】
【００４９】
以上の記載は実施例に基づいて行ったが、本発明は、上記実施例に限定されるものではない。
なお、本発明において、下記の形態が可能である。
［形態１］
メモリセルと、
前記メモリセルの消去状態を検証することによって前記メモリセルの閾値電圧を計測する検証回路と、
計測された前記閾値電圧に応じた強度のパルス電圧を最初のパルス電圧とする１又は２以上のパルス電圧を前記メモリセルに印加する電源回路と、を備えることを特徴とするフラッシュメモリ。
［形態２］
前記検証回路は、データ消去を中断した場合においてデータ消去を途中から再開するときに、前記メモリセルの消去状態を検証することによって前記メモリセルの閾値電圧を計測することを特徴とする、形態１に記載のフラッシュメモリ。
［形態３］
データ消去を中断する前に前記メモリセルに対して最後に印加されたパルス電圧の強度を記録するレジスタをさらに備え、
前記電源回路は、データ消去を途中から再開するときには、前記レジスタに記録された前記強度のパルス電圧を最初のパルス電圧とすることを特徴とする、形態１または２に記載のフラッシュメモリ。
［形態４］
消去状態を検証することによってメモリセルの閾値電圧を計測する工程と、
前記閾値電圧に応じた強度のパルス電圧を最初のパルス電圧とする１又は２以上のパルス電圧を前記メモリセルへ印加する工程と、を含むフラッシュメモリのデータ消去方法。
［形態５］
フラッシュメモリのデータ消去を中断した場合においてデータ消去を途中から再開するときに、前記計測工程と前記印加工程とを含むことを特徴とする、形態４に記載のデータ消去方法。
【手続補正書】
【提出日】平成24年3月13日(2012.3.13)
【手続補正１】
【補正対象書類名】特許請求の範囲
【補正対象項目名】全文
【補正方法】変更
【補正の内容】
【特許請求の範囲】
【請求項１】
複数の子機となるコンテンツ記録装置と無線通信可能な親機のコンテンツ記録装置であって、
無線通信を通じて前記子機のすべてを直ちにコンテンツを記録可能なスタンバイ状態に遷移させる準備手段と、
前記子機の状態を検出する検出手段と、
前記子機のすべてがスタンバイ状態に遷移したことが検出されることを条件に、前記子機にコンテンツを記録させる開始制御手段と、を備えたコンテンツ記録装置。
【請求項２】
前記準備手段は、前記子機の少なくとも１つに直ちにコンテンツを記録可能なスタンバイ状態に遷移させるためのスタンバイ信号を送信する送信手段を含み、
前記検出手段は、前記子機のうちスタンバイ信号を送信した子機のそれぞれからスタンバイ状態に遷移したことを示すスタンバイ完了信号を受信する状態受信手段を含む、請求項１に記載のコンテンツ記録装置。
【請求項３】
前記検出手段により前記子機のすべてがスタンバイ状態に遷移したことが検出されることに応じて、前記子機のすべてがスタンバイ状態に遷移したことを通知する通知手段を、さらに備えた請求項１または２記載のコンテンツ記録装置。
【請求項４】
前記開始制御手段は、前記子機にコンテンツを記録させるための操作を受け付ける操作受付手段を含む、請求項１〜３のいずれか１項に記載のコンテンツ記録装置。
【請求項５】
複数の子機となるコンテンツ記録装置のすべてを直ちにコンテンツを記録可能なスタンバイ状態に遷移させるステップと、
前記子機の状態を検出するステップと、
前記子機のすべてがスタンバイ状態に遷移したことが検出されることを条件に、前記子機にコンテンツを記録させるステップと、を前記子機を制御するコンピュータに実行させるコンテンツ記録制御方法。
【手続補正書】
【提出日】平成24年3月27日(2012.3.27)
【手続補正１】
【補正対象書類名】特許請求の範囲
【補正対象項目名】全文
【補正方法】変更
【補正の内容】
【特許請求の範囲】
【請求項１】
ＣＰＵと、
上記ＣＰＵに接続されたＣＰＵバスと、
上記ＣＰＵバスを介して上記ＣＰＵに結合され、それぞれ起動ビットが設定されることで起動可能な複数の機能モジュールと、
上記複数の機能モジュールにおける起動ビットを操作可能なマスタビットを保持可能なマスタビットレジスタと、を含み、
上記マスタビットレジスタにおけるマスタビットは、上記ＣＰＵによって設定可能とされて成ることを特徴とするデータ処理装置。
【手続補正書】
【提出日】平成24年4月5日(2012.4.5)
【手続補正１】
【補正対象書類名】特許請求の範囲
【補正対象項目名】全文
【補正方法】変更
【補正の内容】
【特許請求の範囲】
【請求項１】
検索対象を条件に合致するものに絞り込むための第一の検索条件に係る検索条件候補を設定する第一の設定手段と、
検索対象を条件に合致するものを除外したものに絞り込むための前記第一の検索条件と異なる第二の検索条件に係る検索条件候補を設定する第二の設定手段と、
前記第一の検索条件に係る検索条件候補及び前記第二の検索条件に係る検索条件候補を提示する提示手段と、
前記提示手段で提示された検索条件を選択する選択手段と、
を有する情報処理装置。
【請求項２】
前記選択手段で選択された検索条件に基づき実行された検索で、取得された文書集合を検索対象として決定する決定手段を更に有し、
前記第一の設定手段は、前記決定手段で決定された検索対象を条件に合致するものに絞り込むための第一の検索条件に係る検索条件候補を表示データとして設定し、
前記第二の設定手段は、前記第一の検索条件とは異なる、前記決定手段で決定された検索対象を条件に合致するものを除外したものに絞り込むための第二の検索条件に係る検索条件候補を表示データとして設定する請求項１記載の情報処理装置。
【請求項３】
前記第一の検索条件及び前記第二の検索条件は、属性と前記属性の値とによって定義される条件であり、
前記第二の検索条件は、前記第一の検索条件の属性に応じて決定されるものである請求項１記載の情報処理装置。
【請求項４】
前記第一の検索条件及び前記第二の検索条件は、属性と前記属性の値とによって定義される条件であり、
前記第一の設定手段は、前記検索対象を前記第一の検索条件で検索した場合の前記検索対象に対する一致した率に基づいて前記第一の検索条件に係る検索条件候補を表示データとして設定し、
前記第二の設定手段は、前記検索対象を前記第二の検索条件で検索した場合の前記検索対象に対する一致した率に基づいて前記第二の検索条件に係る検索条件候補を表示データとして設定する請求項１記載の情報処理装置。
【請求項５】
情報処理装置が実行する情報処理方法であって、
検索対象を条件に合致するものに絞り込むための第一の検索条件に係る検索条件候補を設定する第一の設定ステップと、
検索対象を条件に合致するものを除外したものに絞り込むための前記第一の検索条件と異なる第二の検索条件に係る検索条件候補を設定する第二の設定ステップと、
前記第一の検索条件に係る検索条件候補及び前記第二の検索条件に係る検索条件候補を提示する提示ステップと、
前記提示ステップで提示された検索条件を選択する選択ステップと、
を含む情報処理方法。
【請求項６】
前記選択ステップで選択された検索条件に基づき実行された検索で、取得された文書集合を検索対象として決定する決定ステップを更に含み、
前記第一の設定ステップでは、前記決定ステップで決定された検索対象を条件に合致するものに絞り込むための第一の検索条件に係る検索条件候補を表示データとして設定し、
前記第二の設定ステップでは、前記第一の検索条件とは異なる、前記決定ステップで決定された検索対象を条件に合致するものを除外したものに絞り込むための第二の検索条件に係る検索条件候補を表示データとして設定する請求項５記載の情報処理方法。
【請求項７】
コンピュータを、
検索対象を条件に合致するものに絞り込むための第一の検索条件に係る検索条件候補を設定する第一の設定手段と、
検索対象を条件に合致するものを除外したものに絞り込むための前記第一の検索条件と異なる第二の検索条件に係る検索条件候補を設定する第二の設定手段と、
前記第一の検索条件に係る検索条件候補及び前記第二の検索条件に係る検索条件候補を提示する提示手段と、
前記提示手段で提示された検索条件を選択する選択手段と、
して機能させるプログラム。
【請求項８】
請求項７記載のプログラムを記憶したコンピュータが読み取り可能な記憶媒体。
【手続補正２】
【補正対象書類名】明細書
【補正対象項目名】０００６
【補正方法】変更
【補正の内容】
【０００６】
そこで、本発明は、検索対象を条件に合致するものに絞り込むための第一の検索条件に係る検索条件候補を設定する第一の設定手段と、検索対象を条件に合致するものを除外したものに絞り込むための前記第一の検索条件と異なる第二の検索条件に係る検索条件候補を設定する第二の設定手段と、前記第一の検索条件に係る検索条件候補及び前記第二の検索条件に係る検索条件候補を提示する提示手段と、前記提示手段で提示された検索条件を選択する選択手段と、を有する。
【手続補正書】
【提出日】平成24年4月6日(2012.4.6)
【手続補正１】
【補正対象書類名】特許請求の範囲
【補正対象項目名】全文
【補正方法】変更
【補正の内容】
【特許請求の範囲】
【請求項１】
記録部に記録された画像を表示する表示部と、
上記表示部の表示画面上のタッチ位置と該タッチ位置が検出された後のスライド方向とを検出するタッチパネルと、
上記タッチ位置から上記表示部に表示された画像の中の人物を検出し、上記タッチ位置からのスライド方向に従って、上記検出された人物の部分の画像をシフトさせる画像シフト部と、
を具備することを特徴とする画像表示装置。
【請求項２】
上記シフトによって生じる空き部分を別の画像によって置き換える置換部をさらに具備することを特徴とする請求項１に記載の画像表示装置。
【請求項３】
上記置換部は、上記タッチ位置を基準として上記スライド方向と逆側に存在する人物の部分の画像を残すように上記置き換えを行うことを特徴とする請求項２に記載の画像表示装置。
【請求項４】
上記置換部は、上記タッチ位置に対応した人物以外の人物の部分の画像を残すように上記置き換えを行うことを特徴とする請求項２に記載の画像表示装置。
【請求項５】
上記置換部は、上記表示部への表示回数が少ない画像を上記別の画像とすることを特徴とする請求項２乃至４の何れか１項に記載の画像表示装置。
【請求項６】
上記置換部は、上記検出された人物の顔と同じ大きさ且つ同じ位置に顔がある画像を上記別の画像とすることを特徴とする請求項２乃至４の何れか１項に記載の画像表示装置。
【請求項７】
上記表示部に表示される画像は、複数のコマの画像からなる動画像であり、
上記置換部は、上記動画像中の複数のコマの画像の中で上記別の画像の検索を行うことを特徴とする請求項１に記載の画像表示装置。
【手続補正２】
【補正対象書類名】明細書
【補正対象項目名】０００７
【補正方法】変更
【補正の内容】
【０００７】
上記の目的を達成するために、本発明の第１の態様の画像表示装置は、記録部に記録された画像を表示する表示部と、上記表示部の表示画面上のタッチ位置と該タッチ位置が検出された後のスライド方向とを検出するタッチパネルと、上記タッチ位置から上記表示部に表示された画像の中の人物を検出し、上記タッチ位置からのスライド方向に従って、上記検出された人物の部分の画像をシフトさせる画像シフト部とを具備することを特徴とする。
【手続補正３】
【補正対象書類名】明細書
【補正対象項目名】０００８
【補正方法】削除
【補正の内容】
【手続補正書】
【提出日】平成24年4月2日(2012.4.2)
【手続補正１】
【補正対象書類名】特許請求の範囲
【補正対象項目名】全文
【補正方法】変更
【補正の内容】
【特許請求の範囲】
【請求項１】
ヨウ素を正極活物質として含む正極と、
リチウムを負極活物質として含む負極と、
前記正極と前記負極との間に配置される、ヨウ化リチウムを含む電解質層と、
を含み、
前記負極は前記電解質層の側に複数の突起を有することを特徴とするリチウムヨウ素電池。
【請求項２】
前記複数の突起は、第１の方向及び前記第１の方向に交差する第２の方向に配列されることを特徴とする請求項１に記載のリチウムヨウ素電池。
【請求項３】
前記負極は、複数の凸部を有する基部と、前記基部を被覆するリチウム膜と、を含むことを特徴とする請求項１に記載のリチウムヨウ素電池。
【請求項４】
前記基部が、前記リチウム膜に対して不活性な金属で形成されていることを特徴とする請求項３に記載のリチウムヨウ素電池。
【請求項５】
前記基部が、ニッケル又は銅を含むことを特徴とする請求項３に記載のリチウムヨウ素電池。
【請求項６】
リチウムヨウ素電池の製造方法であって、
複数の突起を有する負極を形成する工程と、
前記負極の前記複数の突起を有する側に電解質層および正極を形成する工程と、
を備え、
前記負極を形成する工程は、
複数の凸部の反転形状を有するポリマーからなる型を作製する第１の工程と、
前記型を用いて前記負極を形成する第２の工程と、
を含むことを特徴とする、リチウムヨウ素電池の製造方法。
【請求項７】
前記第１の工程において、前記型はＬＩＧＡプロセスを用いて作製されることを特徴とする請求項６に記載のリチウムヨウ素電池の製造方法。
【請求項８】
前記第２の工程が、
前記型にリチウムを鋳込み固化させる工程と、
固化された前記リチウムを前記型から引き剥がす工程と、
を含むことを特徴とする請求項６又は７のいずれかに記載のリチウムヨウ素電池の製造方法。
【請求項９】
前記第２の工程が、
前記型上に電鋳法によりニッケル又は銅からなる基部を形成する工程と、
前記基部を前記型から引き剥がす工程と、
前記基部の前記型に面していた側にリチウム膜を被覆する工程と、
を含むことを特徴とする請求項６又は７のいずれかに記載のリチウムヨウ素電池の製造方法。
【手続補正書】
【提出日】平成24年2月15日(2012.2.15)
【手続補正１】
【補正対象書類名】特許請求の範囲
【補正対象項目名】全文
【補正方法】変更
【補正の内容】
【特許請求の範囲】
【請求項１】
基体上に、第１電極層、発光層を含む有機層、および第２電極層が順に積層されてなる発光素子と、
前記有機層を取り囲むように配置され、前記第２電極層と電気的に接続された補助配線層と
を備え、
前記補助配線層は、第１導電層と第２導電層との２層構造を含み、
前記第１導電層は、前記第２電極層との接触抵抗が前記第２導電層よりも低いものであり、
前記補助配線層における２層構造は、前記第２導電層の端面が前記第１導電層の端面よりも内側に後退することにより、前記第１導電層の上面の一部が前記第２電極層と接するように形成されている
表示装置。
【請求項２】
前記第１電極層もまた、前記第１導電層と同じ材料からなる第３導電層と、前記第２導電層と同じ材料からなる第４導電層との２層構造を含み、
前記第４導電層は、前記有機層からの光に対する反射率が前記第３導電層よりも高いものである
請求項１記載の表示装置。
【請求項３】
前記第２導電層は、前記第１導電層よりもウェットエッチング処理におけるエッチングレートの高い材料からなる
請求項１記載の表示装置。
【請求項４】
前記第２電極層は、前記補助配線層の２層構造における前記第１導電層の端面ならびに前記第２導電層の上面および端面とも接している
請求項１記載の表示装置。
【請求項５】
前記第１導電層および第２導電層は、前記第２電極層よりも高い導電率を有する
請求項１記載の表示装置。
【請求項６】
前記第２導電層は、前記第１導電層よりも高い導電率を有する
請求項５記載の表示装置。
【請求項７】
前記第１導電層は、モリブデン（Ｍｏ）の単体もしくは化合物からなり、
前記第２導電層は、アルミニウム（Ａｌ）の単体もしくは化合物からなる
請求項１記載の表示装置。
【請求項８】
前記基体上に配列された複数の前記発光素子を備え、
前記第１電極層および有機層は、前記発光素子ごとに絶縁膜によって分離されており、
前記第２電極層は、前記複数の発光素子に共通して設けられている
請求項１記載の表示装置。
【請求項９】
前記補助配線層は、前記複数の発光素子の第１電極層および有機層を積層面内においてそれぞれ取り囲むように設けられ、かつ、前記絶縁膜を前記発光素子ごとに分離するように設けられている
請求項８記載の表示装置。
【請求項１０】
前記基体は、映像信号に基づいて前記発光素子の表示駆動を行う駆動素子を有する
請求項２記載の表示装置。
【請求項１１】
前記駆動素子は、前記第１電極層における第３導電層と導通する電極を有し、
前記電極は、前記第１電極層の側から順に、前記第３導電層と同一の材料からなる第１の層と、前記第１の層よりも高い導電率を有する第２の層とを含む
請求項１０記載の表示装置。
【請求項１２】
前記第１の層は、前記有機層からの光に対する反射率が前記第２の層よりも低いものである
請求項１１記載の表示装置。
【請求項１３】
前記第１の層は、モリブデン（Ｍｏ）の単体もしくは化合物からなり、
前記第２の層は、アルミニウム（Ａｌ）の単体もしくは化合物からなる
請求項１２記載の表示装置。
【請求項１４】
前記電極は、前記第２の層の、前記第１の層とは反対側に、モリブデン（Ｍｏ）の単体もしくは化合物、またはチタン（Ｔｉ）の単体もしくは化合物からなる第３の層をさらに含む
請求項１３記載の表示装置。
【請求項１５】
基体上に、第１電極層、発光層を含む有機層、および第２電極層が順に積層されてなる発光素子と、前記有機層を取り囲むように配置されると共に前記第２電極層と電気的に接続される補助配線層とを備えた表示装置の製造方法であって、
前記基体上に、第１導電層と、前記第２電極層との接触抵抗が前記第１導電層よりも高い第２導電層とを順に積層することにより、積層膜を形成する工程と、
前記積層膜を所定形状にパターニングすることにより、積層膜パターンを形成する工程と、
前記第１導電層よりも前記第２導電層に対して高い溶解性を示すエッチング溶液を用いて前記積層膜パターンのエッチング処理を行い、前記第２導電層の端面を後退させて前記第１導電層の上面を一部露出させることにより前記補助配線層を形成する工程と
を含む表示装置の製造方法。
【請求項１６】
前記第２導電層を、前記有機層からの光に対する反射率が前記第１導電層よりも高い材料によって形成し、
前記第１電極層を、前記積層膜パターンの一部に含まれるように形成する
請求項１５記載の表示装置の製造方法。
【請求項１７】
前記第１導電層を、モリブデン（Ｍｏ）の単体もしくは化合物を用いて形成し、
前記第２導電層は、アルミニウム（Ａｌ）の単体もしくは化合物を用いて形成する
請求項１６記載の表示装置の製造方法。
【手続補正書】
【提出日】平成24年4月2日(2012.4.2)
【手続補正１】
【補正対象書類名】特許請求の範囲
【補正対象項目名】全文
【補正方法】変更
【補正の内容】
【特許請求の範囲】
【請求項１】
画面に表示させた入力フィールドを含むコンテンツに対してユーザが情報を入力する際、その画面に対する操作によってユーザからの入力情報を受け付けるユーザインタフェースを、前記コンテンツの前面に透過的に重ねて表示させる表示部と、
前記ユーザインタフェースにおいて受け付けられた入力情報を前記コンテンツの入力フィールドに設定する転記部と、
を備え、
前記ユーザインタフェースには、前記コンテンツの入力フィールドに設定される入力情報をユーザに確認させるための領域であって、前記入力フィールドよりも大きく情報を表示する確認フィールドが含まれ、
前記表示部は、前記ユーザインタフェースにおいて受け付けられた入力情報を前記確認フィールドに設定し、
前記転記部は、前記確認フィールドに設定された情報がユーザによって変更されたとき、その変更を前記コンテンツの入力フィールドに反映させることを特徴とする情報入力装置。
【請求項２】
前記表示部は、前記画面に対する操作によってユーザからの入力情報を受け付けて、前記コンテンツの入力フィールドにおける表示サイズよりも大きく当該入力情報を表示するユーザインタフェースを表示させることを特徴とする請求項１に記載の情報入力装置。
【請求項３】
前記表示部は、前記ユーザインタフェースを、前記コンテンツの前面であって前記画面の全体に透過的に重ねて表示させることを特徴とする請求項１または２に記載の情報入力装置。
【請求項４】
前記転記部は、前記ユーザインタフェースにおいて入力情報が受け付けられた際、その入力情報を入力フィールドへ設定する旨のユーザによる指示を待つことなく、受け付けられた入力情報を前記コンテンツの入力フィールドに随時設定することを特徴とする請求項１から３のいずれかに記載の情報入力装置。
【請求項５】
前記表示部は、前記ユーザインタフェースとその背景となる前記コンテンツとをユーザが容易に区別できるように、前記コンテンツに設定された色彩に対する補色を用いて前記ユーザインタフェースを描画することを特徴とする請求項１から４のいずれかに記載の情報入力装置。
【請求項６】
前記表示部は、前記ユーザインタフェースの少なくとも一部を表示させる特定画素の色彩を決定すべきとき、前記コンテンツにおいて前記特定画素に対応する対応画素を特定し、その対応画素に設定された色彩に対する補色を前記特定画素の色彩として決定することを特徴とする請求項５に記載の情報入力装置。
【請求項７】
前記表示部は、前記コンテンツにおける対応画素を特定する際にその周辺に存在する周辺画素も特定し、前記対応画素および周辺画素の色彩を平滑化した色彩に対する補色を前記特定画素の色彩として決定することを特徴とする請求項６に記載の情報入力装置。
【請求項８】
前記表示部は、前記ユーザインタフェースとその背景となる前記コンテンツとをユーザが容易に区別できるように、前記コンテンツに設定された色彩の輝度を特定し、その輝度を所定量変化させた色彩を用いて前記ユーザインタフェースを描画することを特徴とする請求項１から４のいずれかに記載の情報入力装置。
【請求項９】
前記コンテンツの入力フィールドへの直接の情報入力に代えて、前記ユーザインタフェースを介した情報入力を、ユーザが選択するための指示部をさらに備えることを特徴とする請求項１から８のいずれかに記載の情報入力装置。
【請求項１０】
画面に表示させた入力フィールドを含むコンテンツに対してユーザが情報を入力する際、その画面に対する操作によってユーザからの入力情報を受け付けるユーザインタフェースを、前記コンテンツの前面に透過的に重ねて表示させるステップと、
前記ユーザインタフェースにおいて受け付けられた入力情報を前記コンテンツの入力フィールドに設定するステップと、
を備え、
前記ユーザインタフェースには、前記コンテンツの入力フィールドに設定される入力情報をユーザに確認させるための領域であって、前記入力フィールドよりも大きく情報を表示する確認フィールドが含まれ、
前記ユーザインタフェースにおいて受け付けられた入力情報を前記確認フィールドに設定するステップと、
前記確認フィールドに設定された情報がユーザによって変更されたとき、その変更を前記コンテンツの入力フィールドに反映させるステップと、
をさらに備えることを特徴とする情報入力方法。
【請求項１１】
画面に表示させた入力フィールドを含むコンテンツに対してユーザが情報を入力する際、その画面に対する操作によってユーザからの入力情報を受け付けるユーザインタフェースを、前記コンテンツの前面に透過的に重ねて表示させる機能と、
前記ユーザインタフェースにおいて受け付けられた入力情報を前記コンテンツの入力フィールドに設定する機能と、
をコンピュータに実現させ、
前記ユーザインタフェースには、前記コンテンツの入力フィールドに設定される入力情報をユーザに確認させるための領域であって、前記入力フィールドよりも大きく情報を表示する確認フィールドが含まれ、
前記表示させる機能は、前記ユーザインタフェースにおいて受け付けられた入力情報を前記確認フィールドに設定し、
前記設定する機能は、前記確認フィールドに設定された情報がユーザによって変更されたとき、その変更を前記コンテンツの入力フィールドに反映させることを特徴とするコンピュータプログラム。
【手続補正書】
【提出日】平成24年4月12日(2012.4.12)
【手続補正１】
【補正対象書類名】特許請求の範囲
【補正対象項目名】請求項４
【補正方法】変更
【補正の内容】
【請求項４】
複数の前記制御部の中の一つの前記制御部が、初期状態において動作を行う初期制御部に設定され、
前記初期状態において前記初期制御部以外の他の前記制御部は待機状態に設定され、
前記他の制御部の中の一つの前記制御部の前記成人認証装置が認証状態になると、一つの前記制御部は、待機状態から動作を開始する旨を知らせる開始信号を前記初期制御部に送信し、
前記開始信号を受信した前記初期制御部は待機状態となる、
ことを特徴とする請求項１に記載の自動販売機。
【手続補正２】
【補正対象書類名】特許請求の範囲
【補正対象項目名】請求項５
【補正方法】変更
【補正の内容】
【請求項５】
複数の前記制御部が、いずれも初期状態においては待機状態に設定され、
一つの前記制御部の前記成人認証装置が認証状態になると、一つの前記制御部は、待機状態から動作を開始する旨を知らせる開始信号を他の前記制御部に送信し、
前記開始信号を受信した他の前記制御部は待機状態を維持する、
ことを特徴とする請求項１に記載の自動販売機。
【手続補正３】
【補正対象書類名】明細書
【補正対象項目名】００５３
【補正方法】変更
【補正の内容】
【００５３】
ステップ３０において、運転免許証の年齢が成人でない場合には（ステップ２７）、案内表示部３６によって販売できない旨を通知し、販売制御を終了する。
【手続補正４】
【補正対象書類名】明細書
【補正対象項目名】００６６
【補正方法】変更
【補正の内容】
【００６６】
また、上記実施形態では、初期状態において、第１制御部４２を初期制御部としたが、これに限らず、例えば、初期状態においては第１制御部４２と第２制御部４４を両方共に待機状態に設定する。そして、どちらかの制御部の成人認証装置が認証状態になると、その制御部は、待機状態から動作を開始する旨を知らせる開始信号を他の制御部に送信し、開始信号を受信した他の前記制御部は待機状態を維持するようにしてもよい。
【手続補正５】
【補正対象書類名】図面
【補正対象項目名】図３
【補正方法】変更
【補正の内容】
【図３】
2010244289.tif 000001
【手続補正６】
【補正対象書類名】図面
【補正対象項目名】図４
【補正方法】変更
【補正の内容】
【図４】
2010244289.tif 000002
【手続補正書】
【提出日】平成24年3月2日(2012.3.2)
【手続補正１】
【補正対象書類名】明細書
【補正対象項目名】０００９
【補正方法】変更
【補正の内容】
【０００９】
請求項１に記載の辞書機能を備えた電子機器は、タッチパネル式の表示部と、複数の見出し語と当該各見出し語の説明情報とを対応付けた辞書を複数記憶する辞書記憶手段と、この辞書記憶手段により記憶された複数の辞書の中から検索対象の辞書をユーザ操作に応じて選択する辞書選択手段と、この辞書選択手段により選択された辞書を検索対象とする検索文字列をユーザ操作に応じて入力する検索文字入力手段と、この検索文字入力手段により入力された検索文字列を前記タッチパネル式表示部に表示させる検索文字表示制御手段と、この検索文字表示制御手段によりタッチパネル式表示部に表示された検索文字列がユーザ操作に応じてタッチされ所定の方向にドラッグされた場合に、前記辞書選択手段により選択された辞書以外の他の辞書名を当該タッチパネル式表示部に一覧表示させる他辞書一覧表示制御手段と、この他辞書一覧表示制御手段により表示された他の辞書名の表示位置に前記ユーザ操作に応じてドラッグされた検索文字列がドロップされた場合に、検索対象の辞書を当該検索文字列がドロップされた他の辞書名の辞書に切り替える辞書切り替え手段と、を備えたことを特徴としている。
【手続補正２】
【補正対象書類名】明細書
【補正対象項目名】００１４
【補正方法】変更
【補正の内容】
【００１４】
請求項６に記載のプログラムは、タッチパネル式の表示部を有する電子機器のコンピュータを制御するためのプログラムであって、前記コンピュータを、複数の見出し語と当該各見出し語の説明情報とを対応付けた辞書を複数記憶する辞書記憶手段、この辞書記憶手段により記憶された複数の辞書の中から検索対象の辞書をユーザ操作に応じて選択する辞書選択手段、この辞書選択手段により選択された辞書を検索対象とする検索文字列をユーザ操作に応じて入力する検索文字入力手段、この検索文字入力手段により入力された検索文字列を前記タッチパネル式表示部に表示させる検索文字表示制御手段、この検索文字表示制御手段によりタッチパネル式表示部に表示された検索文字列がユーザ操作に応じてタッチされ所定の方向にドラッグされた場合に、前記辞書選択手段により選択された辞書以外の他の辞書名を当該タッチパネル式表示部に一覧表示させる他辞書一覧表示制御手段、この他辞書一覧表示制御手段により表示された他の辞書名の表示位置に前記ユーザ操作に応じてドラッグされた検索文字列がドロップされた場合に、検索対象の辞書を当該検索文字列がドロップされた他の辞書名の辞書に切り替える辞書切り替え手段、として機能させることを特徴としている。
【手続補正３】
【補正対象書類名】特許請求の範囲
【補正対象項目名】全文
【補正方法】変更
【補正の内容】
【特許請求の範囲】
【請求項１】
タッチパネル式の表示部と、
複数の見出し語と当該各見出し語の説明情報とを対応付けた辞書を複数記憶する辞書記憶手段と、
この辞書記憶手段により記憶された複数の辞書の中から検索対象の辞書をユーザ操作に応じて選択する辞書選択手段と、
この辞書選択手段により選択された辞書を検索対象とする検索文字列をユーザ操作に応じて入力する検索文字入力手段と、
この検索文字入力手段により入力された検索文字列を前記タッチパネル式表示部に表示させる検索文字表示制御手段と、
この検索文字表示制御手段によりタッチパネル式表示部に表示された検索文字列がユーザ操作に応じてタッチされ所定の方向にドラッグされた場合に、前記辞書選択手段により選択された辞書以外の他の辞書名を当該タッチパネル式表示部に一覧表示させる他辞書一覧表示制御手段と、
この他辞書一覧表示制御手段により表示された他の辞書名の表示位置に前記ユーザ操作に応じてドラッグされた検索文字列がドロップされた場合に、検索対象の辞書を当該検索文字列がドロップされた他の辞書名の辞書に切り替える辞書切り替え手段と、
を備えたことを特徴とする辞書機能を備えた電子機器。
【請求項２】
前記検索文字表示制御手段によりタッチパネル式表示部に表示された検索文字列に対応する見出し語を、前記辞書選択手段により選択された辞書から検索し、当該タッチパネル式表示部に一覧表示させる見出し語一覧表示制御手段と、
この見出し語一覧表示制御手段により一覧表示された見出し語が、ユーザ操作に応じてタッチされドラッグされ前記検索文字表示制御手段によりタッチパネル式表示部に表示された検索文字列の位置にドロップされた場合に、当該ドロップされた見出し語を新たな検索文字列として表示させる検索文字入れ換え表示制御手段と、
を備えたことを特徴とする請求項１に記載の辞書機能を備えた電子機器。
【請求項３】
前記検索文字表示制御手段によりタッチパネル式表示部に表示された検索文字列に対応する見出し語の説明情報を、前記辞書選択手段により選択された辞書から検索して読み出し、当該タッチパネル式表示部に表示させる説明情報表示制御手段と、
この説明情報表示制御手段により表示された説明情報に含まれる単語が、ユーザ操作に応じてタッチされドラッグされ前記検索文字表示制御手段によりタッチパネル式表示部に表示された検索文字列の位置にドロップされた場合に、当該ドロップされた単語を新たな検索文字列として表示させる検索文字入れ換え表示制御手段と、
を備えたことを特徴とする請求項１に記載の辞書機能を備えた電子機器。
【請求項４】
前記検索文字表示制御手段によりタッチパネル式表示部に表示された検索文字列の一部分がユーザ操作に応じて横方向にドラッグされた場合に、当該検索文字列の横方向にドラッグされた一部分と残りの部分との間にブランクワードを挿入するブランクワード入力手段を備えたことを特徴とする請求項１に記載の辞書機能を備えた電子機器。
【請求項５】
前記検索文字表示制御手段によりタッチパネル式表示部に表示された検索文字列の任意の部分がユーザ操作に応じてダブルタッチされた場合に、当該検索文字列のダブルタッチされた部分にワイルドカードを入力するワイルドカード入力手段を備えたことを特徴とする請求項１に記載の辞書機能を備えた電子機器。
【請求項６】
タッチパネル式の表示部を有する電子機器のコンピュータを制御するためのプログラムであって、
前記コンピュータを、
複数の見出し語と当該各見出し語の説明情報とを対応付けた辞書を複数記憶する辞書記憶手段、
この辞書記憶手段により記憶された複数の辞書の中から検索対象の辞書をユーザ操作に応じて選択する辞書選択手段、
この辞書選択手段により選択された辞書を検索対象とする検索文字列をユーザ操作に応じて入力する検索文字入力手段、
この検索文字入力手段により入力された検索文字列を前記タッチパネル式表示部に表示させる検索文字表示制御手段、
この検索文字表示制御手段によりタッチパネル式表示部に表示された検索文字列がユーザ操作に応じてタッチされ所定の方向にドラッグされた場合に、前記辞書選択手段により選択された辞書以外の他の辞書名を当該タッチパネル式表示部に一覧表示させる他辞書一覧表示制御手段、
この他辞書一覧表示制御手段により表示された他の辞書名の表示位置に前記ユーザ操作に応じてドラッグされた検索文字列がドロップされた場合に、検索対象の辞書を当該検索文字列がドロップされた他の辞書名の辞書に切り替える辞書切り替え手段、
として機能させるようにしたプログラム。
【手続補正書】
【提出日】平成24年3月12日(2012.3.12)
【手続補正１】
【補正対象書類名】特許請求の範囲
【補正対象項目名】全文
【補正方法】変更
【補正の内容】
【特許請求の範囲】
【請求項１】
評価対象プログラムに予め設定された測定区間の測定開始時点を示す測定開始信号の到達から前記測定区間の測定終了時点を示す測定終了信号の到達まで、前記評価対象プログラムの実行に伴って生じるイベントをカウントする第１カウンタ部と、
反復して実行される前記測定区間の反復回数を、前記測定開始信号及び前記測定終了信号の少なくとも一方に基づいてカウントする第２カウンタ部と、
を備えるパフォーマンス評価装置。
【手続補正２】
【補正対象書類名】明細書
【補正対象項目名】発明の名称
【補正方法】変更
【補正の内容】
【発明の名称】パフォーマンス評価装置
【手続補正書】
【提出日】平成24年3月1日(2012.3.1)
【手続補正１】
【補正対象書類名】明細書
【補正対象項目名】００２７
【補正方法】変更
【補正の内容】
【００２７】
【図１】本発明の一実施の形態に係る画像処理装置の構成例を示すブロック図である。
【図２】４０個のガボアフィルタを、スケールおよび方向を基にして並べた場合の一例を示すものである。
【図３】コサイン（またはサイン）成分からなるキャリアの例を示す図である。
【図４】ガウス窓関数の例を示す図である。
【図５】図３と図４に対応するガボアフィルタの特性の波形の例を示す図である。
【図６】コサイン（またはサイン）成分からなるキャリアの別の例を示す図である。
【図７】ガウス窓関数の別の例を示す図である。
【図８】従来のガボアフィルタの例を示す図である。
【図９】本発明を適用したガボアフィルタの例を示す図である。
【図１０】図１の画像処理装置による認識処理の例を説明するフローチャートである。
【図１１】ガボアフィルタの中から、任意の位置、大きさの矩形領域が選択されることを説明する図である。
【図１２】本発明の一実施の形態に係る画像処理装置の別の構成例を示すブロック図である。
【図１３】図１２の画像処理装置による学習処理の例を説明するフローチャートである。
【図１４】図１２の画像処理装置による認識処理の例を説明するフローチャートである。
【図１５】パーソナルコンピュータの構成例を示すブロック図である。
【手続補正書】
【提出日】平成24年2月8日(2012.2.8)
【手続補正１】
【補正対象書類名】明細書
【補正対象項目名】００２７
【補正方法】変更
【補正の内容】
【００２７】
【図１】本発明を適用した情報処理システムの一実施の形態を示すブロック図である。
【図２】評価情報抽出処理について説明するフローチャートである。
【図３】ユーザ評価について説明する図である。
【図４】評価情報について説明する図である。
【図５】リンク情報について説明する図である。
【図６】嗜好情報作成処理について説明するフローチャートである。
【図７】アイテム特徴量について説明する図である。
【図８】嗜好情報の作成手法について説明する図である。
【図９】嗜好情報の例について説明する図である。
【図１０】情報処理装置の構成例について説明するブロック図である。
【図１１】アイテム嗜好度算出処理について説明するフローチャートである。
【図１２】情報処理装置の構成例について説明するブロック図である。
【図１３】推薦アイテム提示処理について説明するフローチャートである。
【図１４】マクロ類似度の計算方法について説明する図である。
【図１５】情報処理装置の構成例について説明するブロック図である。
【図１６】類似評価種別提示処理について説明するフローチャートである。
【図１７】情報処理装置の構成例について説明するブロック図である。
【図１８】アイテム嗜好度空間表示処理について説明するフローチャートである。
【図１９】アイテム嗜好度の表示の例を示す図である。
【図２０】アイテム嗜好度の表示の例を示す図である。
【図２１】情報処理装置の構成例について説明するブロック図である。
【図２２】空間名称表示処理について説明するフローチャートである。
【図２３】空間名称の表示の例を示す図である。
【図２４】空間名称の表示の例を示す図である。
【図２５】情報処理装置の構成例について説明するブロック図である。
【図２６】アイテム嗜好度表示空間表示座標軸変更処理について説明するフローチャートである。
【図２７】情報処理装置の構成例について説明するブロック図である。
【図２８】アイテム嗜好度表示空間表示座標軸変更処理について説明するフローチャートである。
【図２９】情報処理装置の構成例について説明するブロック図である。
【図３０】リンク情報表示処理について説明するフローチャートである。
【図３１】アイテムの空間表示の例を示す図である。
【図３２】情報処理装置の構成例について説明するブロック図である。
【図３３】ユーザ空間表示処理について説明するフローチャートである。
【図３４】ユーザの空間表示の例を示す図である。
【図３５】情報処理装置の構成例について説明するブロック図である。
【図３６】ユーザ空間表示処理について説明するフローチャートである。
【図３７】情報処理装置の構成例について説明するブロック図である。
【図３８】ユーザ空間表示処理について説明するフローチャートである。
【図３９】情報処理装置の構成例について説明するブロック図である。
【図４０】ユーザ空間表示処理について説明するフローチャートである。
【図４１】情報処理装置の構成例について説明するブロック図である。
【図４２】ユーザ空間表示処理について説明するフローチャートである。
【図４３】情報処理装置の構成例について説明するブロック図である。
【図４４】グループ嗜好情報作成処理について説明するフローチャートである。
【図４５】ユーザ情報の例について説明する図である。
【図４６】他グループの推薦するアイテムについて説明する図である。
【図４７】情報処理装置の構成例について説明するブロック図である。
【図４８】変化点アイテム提示処理について説明するフローチャートである。
【図４９】時刻情報が付与された嗜好情報について説明する図である。
【図５０】情報処理装置の構成例について説明するブロック図である。
【図５１】特徴量適切度提示処理について説明するフローチャートである。
【図５２】クラス間リンク頻度算出処理について説明するフローチャートである。
【図５３】アイテム間クラス頻度の算出の例について説明する図である。
【図５４】情報処理装置の構成例について説明するブロック図である。
【図５５】クラスタ間リンク頻度算出処理について説明するフローチャートである。
【図５６】汎用のパーソナルコンピュータの構成例を説明する図である。
【手続補正２】
【補正対象書類名】明細書
【補正対象項目名】００９６
【補正方法】変更
【補正の内容】
【００９６】
［情報処理装置のアイテム嗜好度リスト提示処理］
次に、図１１のフローチャートを参照して、図１０の情報処理装置によるアイテム嗜好度リスト提示処理について説明する。
【手続補正３】
【補正対象書類名】明細書
【補正対象項目名】０１１２
【補正方法】変更
【補正の内容】
【０１１２】
ステップＳ７１において、嗜好情報取得部８１は、入力部２１を介してユーザにより入力された評価種別に基づいて、その評価種別に応じた各ユーザの嗜好情報を、嗜好情報保持部４０から取得し、ユーザ類似度算出部８２に供給する。例えば、ユーザ１が入出力装置１１を操作し、入力部２１を介して、「好き or Not」である評価種別を入力した場合、嗜好情報取得部６１は、図９において、ユーザ１，２，３の、評価種別が「好き or Not」である嗜好情報を、嗜好情報保持部４０から取得し、ユーザ類似度算出部８２に供給する。
【手続補正書】
【提出日】平成24年4月6日(2012.4.6)
【手続補正１】
【補正対象書類名】特許請求の範囲
【補正対象項目名】全文
【補正方法】変更
【補正の内容】
【特許請求の範囲】
【請求項１】
タッチパッドを備える端末装置であって、
前記端末装置を操作しているユーザを特定するユーザ特定部と、
前記タッチパッドの一部の領域に、入力キーの機能を割り当てるキー機能割当部と、
を備え、
前記キー機能割当部は、前記ユーザ特定部によって前記ユーザが特定されると、前記特定されたユーザに対応するキー位置を基準とする領域であって、前記ユーザに対応するキー面積を有する領域に、前記入力キーの機能を割り当てる、
端末装置。
【請求項２】
前記ユーザの識別情報に対応付けて、前記ユーザのキー位置及び前記ユーザのキー面積を格納するユーザ設定格納部をさらに備え、
前記キー機能割当部は、前記特定されたユーザの識別情報に対応づけて前記ユーザ設定格納部に格納されている前記キー位置を基準とする領域であって、前記特定されたユーザの識別情報に対応づけて前記ユーザ設定格納部に格納されている前記キー面積を有する領域に、前記入力キーの機能を割り当てる、
請求項１に記載の端末装置。
【請求項３】
前記タッチパッドと前記タッチパッドに接触している接触物との接触位置を検出する接触位置検出部と、
前記タッチパッドと前記接触物との接触面積を検出する接触面積検出部と、
をさらに備え、
前記ユーザ特定部によって前記ユーザが特定されなかったときに、ユーザ登録の実行が要求された場合、前記接触面積検出部及び前記接触位置検出部は、前記タッチパッドと前記接触物との接触面積及び接触位置を検出する、
請求項１または請求項２に記載の端末装置。
【請求項４】
前記タッチパッドに重ね合わせて配置されている表示パネルと、
前記キー位置を示すべく、前記表示パネルにキー画像を表示させるキー表示制御部と、
をさらに備える、
請求項１から請求項３までの何れか一項に記載の端末装置。
【請求項５】
前記キー表示制御部は、前記特定されたユーザの識別情報に対応づけて格納されている前記キー位置を示すべく、前記表示パネルに前記キー画像を表示させる、
請求項４に記載の端末装置。
【手続補正２】
【補正対象書類名】明細書
【補正対象項目名】００６７
【補正方法】変更
【補正の内容】
【００６７】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
（項目１）
筐体と、
上記筐体の表面に配置されているタッチパネルと、
上記表面における上記タッチパネルが配置されていない領域に埋め込まれており、上記表面から突出していないタッチセンサと、
上記タッチセンサが埋め込まれている位置を示すべく、上記表面に印字されているキーマークと、
を備える端末装置。
（項目２）
タッチパッドと、
上記タッチパッドの一部の領域に、入力キーの機能を割り当てるキー機能割当部と、
上記タッチパッドと上記タッチパッドに接触している接触物との接触面積を検出する接触面積検出部と、
上記接触面積に基づいて、上記タッチパッドにおいて上記入力キーの機能を割り当てるべきキー面積を決定するキー面積決定部と、
を備え、
上記キー機能割当部は、上記タッチパッドにおける上記キー面積を有する領域に、上記入力キーの機能を割り当てる端末装置。
（項目３）
上記タッチパッドと上記接触物との接触位置を検出する接触位置検出部と、
上記接触位置に基づいて、上記タッチパッドにおいて上記入力キーの機能を割り当てるべきキー位置を決定するキー位置決定部と、
をさらに備え、
上記キー機能割当部は、上記タッチパッドにおける上記キー位置を基準とする上記キー面積の領域に、上記入力キーの機能を割り当てる項目２に記載の端末装置。
（項目４）
上記タッチパッドに重ね合わせて配置されている表示パネルと、
上記キー位置を示すべく、上記表示パネルにキー画像を表示させるキー表示制御部と、
をさらに備える項目３に記載の端末装置。
（項目５）
当該端末装置を操作しているユーザを特定するユーザ特定部と、
上記ユーザの識別情報に対応づけて、上記キー面積および上記キー位置を格納するユーザ設定格納部と、
をさらに備え、
上記ユーザ特定部によって上記ユーザが特定された場合に、
上記キー機能割当部は、上記タッチパッドに対して、特定された上記ユーザの識別情報に対応づけて格納されている上記キー位置を基準とする領域であって、特定された上記ユーザの識別情報に対応づけて格納されている上記キー面積の領域に、上記入力キーの機能を割り当て、
上記キー表示制御部は、特定された上記ユーザの識別情報に対応づけて格納されている上記キー位置を示すべく、上記表示パネルに上記キー画像を表示させる項目４に記載の端末装置。